(57)【特許請求の範囲】
【請求項１】
集合住宅の共同玄関に設置される通話端末であるロビーインターホン、若しくは管理人室等に設置され、通話や通話制御の機能を持つ警報監視盤と、各住戸に設置される通話端末である複数の住戸インターホンとが夫々２線の通話線にて接続される集合住宅用通話システムや、通話及び通話制御機能を持つロビーインターホンと、複数の住戸インターホンとが夫々２線の通話線にて接続されるような集合住宅用通話システムに用いられるものであって、ロビーインターホン若しくは警報監視盤と各住戸インターホンとの間の２線の通話線の途中に設置され、ロビーインターホン若しくは警報監視盤側の２線の通話線に接続され、該２線の通話線を、住戸インターホン側からの送話信号を取り込む第１の入力２線と住戸インターホン側へロビーインターホン若しくは警報監視盤側の通話信号を送話信号として住戸インターホン側へ送り出す第１の出力２線との４線に変換する第１の２線４線変換部と、住戸インターホン側の２線の通話線に接続され、該２線の通話線を、住戸インターホン側の通話信号を送話信号としてロビーインターホン若しくは警報監視盤側へ送り出す第２の出力２線と上記第１の出力２線に接続されロビーインターホン若しくは警報監視盤側からの上記送話信号を取り込む第２の入力２線の４線に変換し、上記第２の出力２線を上記第１の入力２線に、上記第２の入力２線を上記第１の出力２線に接続する第２の２線４線変換部と、上記第１の出力２線と上記第２の入力２線との間及び上記第２の出力２線と上記第１の入力２との間に夫々各別に挿入される増幅器と、上記第１の２線４線変換部で発生する２線部インピーダンスの不整合による回り込み信号を抑圧する第１のエコーキャンセラと、上記第２の２線４選変換部で発生する２線部インピーダンス不整合による回り込み信号を抑圧する第２のエコーキャンセラと、住戸側インターホンとロビーインターホン若しくは警報監視盤との間の通話路の開閉を行う制御部とを備え、ロビーインターホン若しくは警報監視盤と各住戸インターホンとの間の通話信号を中継することを特徴とする集合住宅用通話中継増幅装置。
【請求項２】
上記制御部として、通話時に住戸インターホンが通話線間に印加する直流電圧を、当該住戸インターホン側の２線の通話線から検出してロビーインターホン若しくは警報監視盤側の通話線の通話路の開閉を行う制御部を設けたことを特徴とする請求項１記載の集合住宅用通話中継増幅装置。
【請求項３】
集合住宅の共同玄関に設置される通話端末であるロビーインターホン、若しくは管理人室等に設置され、通話や通話制御の機能を持つ警報監視盤と、各住戸に設置される通話端末である複数の住戸インターホンとが夫々２線の通話線にて接続される集合住宅用通話システムや、通話及び通話制御機能を持つロビーインターホンと、複数の住戸インターホンとが夫々２線の通話線にて接続されるような集合住宅用通話システムに用いられるものであって、ロビーインターホン若しくは警報監視盤と各住戸インターホンとの間の２線の通話線の途中に設置され、ロビーインターホン若しくは警報監視盤側の２線の通話線に接続され、該２線の通話線を、住戸インターホン側からの送話信号を取り込む第１の入力２線と住戸インターホン側へロビーインターホン若しくは警報監視盤側の通話信号を送話信号として住戸インターホン側へ送り出す第１の出力２線との４線に変換する第１の２線４線変換部と、センタタップ付きの巻線とセンタタップ無しの巻線を有するトランスのセンタタップ無しの巻線の両端を上記第１の入力２線に接続し、センタタップ付きの巻線を、住戸インターホン側から見た時のインピーダンスに合わせたインピーダンス素子を介して住戸インターホン側の通話線に接続し、センタタップに上記第１の２線出力を接続する第２の２線４線変換部と、上記トランスのセンタタップ無しの巻線と上記第１の２線入力との間及び上記トランスのセンタタップと上記第１の出力２線との間上記第１の入力２線との間に夫々各別に挿入される増幅器と、上記第１の２線４線変換部で発生する２線部インピーダンスの不整合による回り込を抑圧するエコーキャンセラと、住戸側インターホンとロビーインターホン若しくは警報監視盤との間の通話路の開閉を行う制御部とを備え、ロビーインターホン若しくは警報監視盤と各住戸インターホンとの間の通話信号を中継することを特徴とする集合住宅用通話中継増幅装置。
【請求項４】
ロビーインターホン若しくは警報監視盤側の２線の通話線間の直流電圧値を検出し、接続される住戸インターホンからロビーインターホン若しくは警報監視盤への送話信号レベルを制御するレベル検出制御部を設けたことを特徴とする請求項１乃至３の何れか記載の集合住宅用通話中継増幅装置。
【請求項５】
上記第２の２線４線変換部の住戸インターホン側からみた直流及び交流インピーダンスをロビーインターホン若しくは警報監視盤と同等とし、上記第１の２線４線変換部のロビーインターホン若しくは警報監視盤側から見た直流及び交流インピーダンスを接続される住戸インターホンと同等にしたことを特徴とする請求項１乃至４の何れか記載の集合住宅用通話中継増幅装置。
【請求項６】
接続される住戸インターホンからロビーインターホン若しくは警報監視盤への送話信号のレベルを変更するスイッチを具備したことを特徴とする請求項１乃至５の何れか記載の集合住宅用通話中継増幅装置。
【請求項７】
上記制御部として、バックトーン信号の送出時に当該住戸インターホンが通話線間に印加する直流電圧を当該通話線から検出して通話路の開閉を行う制御部を設け、バックトーン信号により第１のエコーキャンセラを収束させるようにしたことを特徴とする請求項３記載の集合住宅用通話中継増幅装置。
【請求項８】
住戸インターホン側からの送話信号の音声レベルを検出し、ロビーインターホン若しくは警報監視盤への送話信号の音声レベルを所定レベルに調整する自動音声レベル制御部及び増幅器を設けるとともに、ロビーインターホン若しくは警報監視盤側からの送話信号の音声レベルを検出し、住戸インターホンへの送話信号の音声レベルを所定レベルに調整する自動音声レベル制御部及び増幅器を設けたことを特徴とする請求項１乃至３，５及び７の何れか記載の集合住宅用通話中継増幅装置。
【請求項９】
第１のエコーキャンセラと第２のエコーキャンセラとの間に音声のレベルに応じた適正な挿入損を挿入する音声スイッチを設けたことを特徴とする請求項１、２、４乃至８の何れか記載の集合住宅用通話中継増幅装置。
【請求項１０】
第１，２の２線４線変換部部に電源が供給されていないときに住戸インターホンからの通話線とロビーインターホン若しくは警報監視盤からの通話線とを直接接続するスイッチを備えたことを特徴とする請求項１乃至９の何れか記載の集合住宅用通話中継増幅装置。
【発明の詳細な説明】
【０００１】
【発明の属する技術分野】
本発明は、集合住宅において各住戸インターホンとロビーインターホン、若しくは各住戸インターホンと警報監視盤との間で通話を行うような集合住宅用通話システムに用いる集合住宅用通話中継増幅装置に関するものである。
【０００２】
【従来の技術】
集合住宅における通話システムはロビーインターホンや、警報監視盤と、各住戸インターホンとが、２線の通話線にて接続され、通話する構成であった。
【０００３】
図１５は、集合住宅通話システムの一例の構成を示しており、このシステムは共用玄関等に設置されるロビーインターホン１、管理人室等に設置される警報監視盤２、各住戸に設置される各住戸インターホン３からなり、各住戸インターホン３は２線（一対）の通話線４にてロビーインターホン１、警報監視盤２に接続されている。この図示するシステムでは、警報監視盤２内に通話路の制御を行う通話路制御ブロックを持っており、通話線４に並行して制御線（図示せず）が配線されている。例えば、ロビーインターホン１から「１０２号室」を呼び出した場合、警報監視盤２の通話路制御ブロックにて「１０２号室」の住戸インターホン３を呼び出し、「１０２号室」の住戸インターホン３のハンドセットＨを持ち上げた時点で通話が可能となる。
【０００４】
【発明が解決しようとする課題】
ここで、図１５で説明した集合住宅の規模が巨大化することにより、通話線４が長距離化し、その通話線４の長距離化により図１６に示すように各住戸インターホン３からロビーインターホン１側を見た線路に配線容量５が接続されたようになる。この配線容量５により、各住戸インターホン３からの通話信号の殆どがロビーインターホン１まで到達する前に、減衰してしまうという問題があった。
【０００５】
また、配線容量５により、図１７で矢印で示すように住戸インターホン３内部の２線４線変換部３５での回り込み信号イが増大し、住戸インターホン３のハンドセットＨのスピーカ３２からのエコー信号ロが増大する。さらにエコー信号が大きくなるとスピーカ３２からマイク３１へエコー信号ロが音響的に回り込みハウリングを引き起こすという問題があった。尚図１７中３３，３４は増幅器である。
【０００６】
本発明は上記問題点に鑑みて為されたものであり、その目的とするところは、ハウリングが無く、快適な通話を実現する集合住宅用通話中継増幅装置を提供することにある。
【０００７】
【課題を解決するための手段】
上記目的を達成するために請求項１の発明では、集合住宅の共同玄関に設置される通話端末であるロビーインターホン、若しくは管理人室等に設置され、通話や通話制御の機能を持つ警報監視盤と、各住戸に設置される通話端末である複数の住戸インターホンとが夫々２線の通話線にて接続される集合住宅用通話システムや、通話及び通話制御機能を持つロビーインターホンと、複数の住戸インターホンとが夫々２線の通話線にて接続されるような集合住宅用通話システムに用いられるものであって、ロビーインターホン若しくは警報監視盤と各住戸インターホンとの間の２線の通話線の途中に設置され、ロビーインターホン若しくは警報監視盤側の２線の通話線に接続され、該２線の通話線を、住戸インターホン側からの送話信号を取り込む第１の入力２線と住戸インターホン側へロビーインターホン若しくは警報監視盤側の通話信号を送話信号として住戸インターホン側へ送り出す第１の出力２線との４線に変換する第１の２線４線変換部と、住戸インターホン側の２線の通話線に接続され、該２線の通話線を、住戸インターホン側の通話信号を送話信号としてロビーインターホン若しくは警報監視盤側へ送り出す第２の出力２線と上記第１の出力２線に接続されロビーインターホン若しくは警報監視盤側からの上記送話信号を取り込む第２の入力２線の４線に変換し、上記第２の出力２線を上記第１の入力２線に、上記第２の入力２線を上記第１の出力２線に接続する第２の２線４線変換部と、上記第１の出力２線と上記第２の入力２線との間及び上記第２の出力２線と上記第１の入力２との間に夫々各別に挿入される増幅器と、上記第１の２線４線変換部で発生する２線部インピーダンスの不整合による回り込み信号を抑圧する第１のエコーキャンセラと、上記第２の２線４選変換部で発生する２線部インピーダンス不整合による回り込み信号を抑圧する第２のエコーキャンセラと、住戸側インターホンとロビーインターホン若しくは警報監視盤との間の通話路の開閉を行う制御部とを備え、ロビーインターホン若しくは警報監視盤と各住戸インターホンとの間の通話信号を中継することを特徴とする。
【０００８】
この請求項１の発明によれば、長距離化した通話線を途中で切断し、本通話中継増幅装置で終端することで、各住戸インターホンからみたロビーインターホン側、若しくは警報監視盤側のインピーダンスを増加させることになり、各住戸インターホンの２線４線変換部の回り込みを減少させてハウリングの発生を抑え、また通話信号レベルの低下を防止して音量の低下を防ぐことができるのである。
【０００９】
請求項２の発明では、請求項１の発明において、上記制御部として、通話時に住戸インターホンが通話線間に印加する直流電圧を、当該住戸インターホン側の２線の通話線から検出してロビーインターホン若しくは警報監視盤側の通話線の通話路の開閉を行う制御部を設けたことを特徴とする。
【００１０】
請求項２の発明によれば、外部からの通話路制御信号線が不用となり、省配線、省施工となる。また、本通話中継増幅装置自体に制御用の端末アドレスのようなものを設定することも不用となるため、任意の通話線間に設置することができる。
【００１１】
請求項３の発明では、集合住宅の共同玄関に設置される通話端末であるロビーインターホン、若しくは管理人室等に設置され、通話や通話制御の機能を持つ警報監視盤と、各住戸に設置される通話端末である複数の住戸インターホンとが夫々２線の通話線にて接続される集合住宅用通話システムや、通話及び通話制御機能を持つロビーインターホンと、複数の住戸インターホンとが夫々２線の通話線にて接続されるような集合住宅用通話システムに用いられるものであって、ロビーインターホン若しくは警報監視盤と各住戸インターホンとの間の２線の通話線の途中に設置され、ロビーインターホン若しくは警報監視盤側の２線の通話線に接続され、該２線の通話線を、住戸インターホン側からの送話信号を取り込む第１の入力２線と住戸インターホン側へロビーインターホン若しくは警報監視盤側の通話信号を送話信号として住戸インターホン側へ送り出す第１の出力２線との４線に変換する第１の２線４線変換部と、センタタップ付きの巻線とセンタタップ無しの巻線を有するトランスのセンタタップ無しの巻線の両端を上記第１の入力２線に接続し、センタタップ付きの巻線を、住戸インターホン側から見た時のインピーダンスに合わせたインピーダンス素子を介して住戸インターホン側の通話線に接続し、センタタップに上記第１の２線出力を接続する第２の２線４線変換部と、上記第１の出力２線と上記第２の入力２線との間及び上記第２の出力２線と上記第１の入力２との間に夫々各別に挿入される増幅器と、上記第１の２線４線変換部で発生する２線部インピーダンスの不整合による回り込を抑圧するエコーキャンセラと、住戸側インターホンとロビーインターホン若しくは警報監視盤との間の通話路の開閉を行う制御部とを備え、ロビーインターホン若しくは警報監視盤と各住戸インターホンとの間の通話信号を中継することを特徴とする。
【００１２】
請求項３の発明によれば、請求項１の発明と同じ作用が為されるとともに、住戸インターホン側のエコーキャンセラが不用となり、回路規模の縮小と、部品コストの低減とができるのである。
【００１３】
請求項４の発明では、請求項１乃至３の何れかの発明において、請求項ロビーインターホン若しくは警報監視盤側の２線の通話線間の直流電圧値を検出し、接続される住戸インターホンからロビーインターホン若しくは警報監視盤への送話信号レベルを制御するレベル検出制御部を設けたことを特徴とする。
【００１４】
請求項４の発明によれば、拡声通話となるロビーインターホンへの通話信号レベルやハンドセット通話となる警報監視盤への通話信号レベルを自動的に調整することができるのである。
【００１５】
請求項５の発明では、請求項１乃至４の何れかの発明において、上記第２の２線４線変換部の住戸インターホン側からみた直流及び交流インピーダンスをロビーインターホン若しくは警報監視盤と同等とし、上記第１の２線４線変換部のロビーインターホン若しくは警報監視盤側から見た直流及び交流インピーダンスを接続される住戸インターホンと同等にしたことを特徴とする。
【００１６】
請求項５の発明によれば、多段に接続する場合にも接続順序による回路変更の必要がなく、全く同じ回路を多段にすることができ、設計、製造のコストを低減することができる。
【００１７】
請求項６の発明では、請求項１乃至３及び５の何れかの発明において、接続される住戸インターホンからロビーインターホン若しくは警報監視盤への送話信号のレベルを変更するスイッチを具備したことを特徴とする。
【００１８】
請求項６の発明によれば、各住戸インターホンからロビーインターホン若しくは警報監視盤への送話信号のレベルが低い場合に、このスイッチによりレベルを大きくすることで、快適な通話音量を得ることができるのである。
【００１９】
請求項７の発明では、請求項１乃至６の何れかの発明において、上記制御部として、バックトーン信号の送出時に当該住戸インターホンが通話線間に印加する直流電圧を当該通話線から検出して通話路の開閉を行う制御部を設け、バックトーン信号により第１のエコーキャンセラを収束させるようにしたことを特徴とする。
【００２０】
請求項７の発明によれば、通話が開始される前にエコーキャンセラを安定動作させることができ、通話開始から快適な通話をすることが可能となる。
【００２１】
請求項８の発明では、請求項１乃至３，５，７の何れかの発明において、住戸インターホン側からの送話信号の音声レベルを検出し、ロビーインターホン若しくは警報監視盤への送話信号の音声レベルを所定レベルに調整する自動音声レベル制御部及び増幅器を設けるとともに、ロビーインターホン若しくは警報監視盤側からの送話信号の音声レベルを検出し、住戸インターホンへの送話信号の音声レベルを所定レベルに調整する自動音声レベル制御部及び増幅器を設けたことを特徴とする。
【００２２】
請求項８の発明によれば、音声レベルが大きすぎる場合や、小さすぎる場合、通話相手に対して適正な受聴レベルに音声レベルを自動的に調整することができる。
【００２３】
請求項９の発明では、請求項１、２，４乃至８の何れかの発明において、第１のエコーキャンセラと第２のエコーキャンセラとの間に音声のレベルに応じた適正な挿入損を挿入する音声スイッチを設けたことを特徴とする。
【００２４】
請求項９の発明によれば、ロビーインターホン若しくは警報監視盤からの音声のレベル、及び住戸インターホンからの音声のレベルに応じて通話路に適正なロスを挿入し、エコーキャンセラの処理負担を軽減するのである。
【００２５】
請求項１０の発明では、請求項１乃至９の何れかの発明において、第１，２の２線４線変換部部に電源が供給されていないときに住戸インターホンからの通話線とロビーインターホン若しくは警報監視盤からの通話線とを直接接続するスイッチを備えたことを特徴とする。
【００２６】
請求項１０の発明によれば、点検整備、事故、災害などにより本通話中継増幅装置への電源が断たれても通話路を確保することができ、多少の音量の低下、多少のハウリング等があっても緊急時等に通話をすることが可能となる。
【００２７】
【発明の実施の形態】
本発明の実施の形態を図面を参照して説明する。
（実施形態１）
図１５に示すような集合住宅通話システムの従来の課題を解決するために、本発明の集合住宅用通話中継増幅装置６は図２に示すように夫々の住戸インターホン３と、ロビーインターホン１（図１５のように警報監視盤２が存在するシステムでは警報監視盤２）との間を接続する２線（一対）の通話線４に挿入されるものである。
【００２８】
ここで通話線４は、住戸インターホン３と集合住宅用通話中継増幅装置６との間を接続する部分を４ａとし、集合住宅用通話中継増幅装置６とロビーインターホン１との間を接続する部分を４ｂとする。
【００２９】
集合住宅用通話中継増幅装置６は、図１に示すようにロビーインターホン１側の２線の通話線４ｂに接続され、該２線の通話線４ｂを、住戸インターホン３側からの送話信号を取り込む第１の入力２線と住戸インターホン３側へロビーインターホン１側の通話信号を送話信号として住戸インターホン３側へ送り出す第１の出力２線との４線に変換する第１の２線４線変換部（以下ロビー側２線４線変換部と言う）６２と、住戸インターホン側の２線の通話線４ａに接続され、該２線の通話線４ａを、住戸インターホン３側の通話信号を送話信号としてロビーインターホン１側へ送り出す第２の出力２線とロビーインターホン１側からの送話信号を取り込む第２の入力２線との４線に変換し、上記第２の出力２線を上記第１の入力２線に、上記第２の入力２線を上記第１の出力２線に接続する第２の２線４線変換部６１（以下住戸側２線４線変換部と言う）と、上記第２の出力２線と上記第１の入力２線との間に挿入される増幅器６９ａ、６９ｂ及び上記第１の出力２線と上記第２の入力２との間に夫々挿入される増幅器６９ｃ、６９ｄと、上記ロビー側４線変換部６２で発生する２線部インピーダンスの不整合による回り込み信号Ｘを抑圧するデジタルフィルタ等からなる第１のエコーキャンセラ（以下ロビー側エコーキャンセラと言う）６４と、上記住戸側２線４選変換部６１で発生する２線部インピーダンス不整合による回り込み信号Ｙを抑圧するデジタルフィルタ等からなる周知の第２のエコーキャンセラ６３（以下住戸側エコーキャンセラと言う）と、増幅器６９ａと６９ｂとの間及び増幅器６９ｃと６９ｄとの間に夫々挿入されるＡ／Ｄ変換器６７ａ，６７ｂ，Ｄ／Ａ変換器６８ａ，６８ｂと、外部からの通話制御信号Ｓにより住戸側インターホン３とロビーインターホン１との間の通話路の開閉を通話路スイッチ６６で行う制御部６５とから構成される。
【００３０】
而して、住戸インターホン３からの通話信号は通話線４ａを介して住戸側２線４線変換部６１で送話信号となって増幅器６９ａにより増幅された後一旦Ａ／Ｄ変換器６７ａでデジタル信号に変換され、さらにＤ／Ａ変換器６８ａでアナログ信号に戻されて増幅器６９ｂにより増幅された後、ロビー側２線４線変換部６２を経てロビーインターホン１側の通話線４ｂへ出力される。
【００３１】
このとき、ロビー側２線４線変換部６２にて、送話信号が回り込み、増幅器６９ｃ、Ａ／Ｄ変換器６７ｂ、Ｄ／Ａ変換器６８ｂ、増幅器６９ｃを介して住戸インターホン３側へ戻ろうとするが、この回り込み信号Ｘをロビー側エコーキャンセラ６４にて抑圧し、戻りを防止する。
【００３２】
逆にロビーインターホン１からの通話信号は、通話線４ｂを介してロビー側２線４線変換部６２で送話信号となり、増幅器６９ｃ、Ａ／Ｄ変換器６７ｂ、Ｄ／Ａ変換器６５ｂ、増幅器６９ｄ及び住戸側２線４線変換部６１を経て住戸インターホン３側の通話線４ａへ出力される。
【００３３】
このとき、住戸側２線４線変換部６１にて、送話信号が回り込み、増幅器６９ａ、Ａ／Ｄ変換器６７ａ、Ｄ／Ａ変換器６８ａ、増幅器６９ｂを通ってロビーインターホン１側へ戻ろうとするが、この回り込み信号Ｙを住戸側エコーキャンセラ６３にて抑圧し、戻りを防止する。
【００３４】
ここでＡ／Ｄ変換器６７ａ，６７ｂ、Ｄ／Ａ変換器６８ａ，６８ｂはデジタルフィルタ等からなるエコーキャンセラ６３、６４での信号処理を可能にするために用いたもので、アナログ信号の送話信号をＡ／Ｄ変換した後に、Ｄ／Ａ変換して元のアナログの送話信号に戻すようになっている。
【００３５】
制御部６５は外部からの通話路制御信号Ｓにより、通話路スイッチ６６を制御する回路で、通話線４ａ側に接続されている住戸インターホン３以外が呼び出されているときは通話路スイッチ６６を開き、通話線４ａ側に接続されている住戸インターホン３が呼び出されるときに通話路制御信号Ｓが入力して通話路スイッチ６６を閉じるよう制御する。
（実施形態２）
図３は本実施形態の集合住宅用通話中継増幅装置６を示す概略構成図である。
【００３６】
本実施形態では、実施形態１の集合住宅用通話中継増幅装置６における制御部６５の代わりに住戸インターホン３でハンドセットＨがアップされたときに通話線４ａ間に重畳される直流電圧を検出し、通話路スイッチ６６を制御する制御部部７０を設けることで、外部からの通話制御信号Ｓ無しに通話路の開閉制御を可能にしたものである。
【００３７】
尚その他の構成は実施形態１と同じであるので、図３に示す本実施形態において、図１に示される回路要素と同じ機能を持つものには同じ番号、記号を付し説明は省略する。
（実施形態３）
図４は本実施形態の集合住宅用通話中継増幅装置６を示す概略構成図である。
【００３８】
本実施形態では、実施形態２の集合住宅用通話中継増幅装置６において、住戸側２線４線変換部６１を図５に示すようなトランス６１０とインピーダンス素子６１１を用いて構成したものである。
【００３９】
つまりトランス６１０はセンタータップ付きの巻線Ｎ１と、センタタップ無しの巻線Ｎ２とを有し、巻線Ｎ１の両端を住戸インターホン３からの通話線４ａにインピーダンス素子６１１を介して接続し、巻線Ｎ２の両端を出力２線として増幅器６９ａに接続している。そしてロビーインターホン１側から増幅器６９ｄを介して送られてくる送話信号を巻線Ｎ１のセンタータップＴに入力するようなっている。インピーダンス素子６１１は、住戸インターホン３側を見たときのインピーダンスに合わせたインピーダンス値を持つものである。
【００４０】
而して本実施形態の集合住宅用通話中継増幅装置６では、ロビーインターホン１からの通話信号が通話線４ｂ側から入力され、ロビー側２線４線変換部６２で送話信号として出力され、増幅器６９ｃ、Ａ／Ｄ変換器６７ｂ、Ｄ／Ａ変換器６８ｂ、増幅器６９ｄを介してトランス６１０のセンタータップＴに入力される。センタータップＴに入力された送話信号はトランスＴの巻線Ｎ１の両端を通って通話線４ａへ出力されるが、センタータップＴから巻線Ｎ１の両端より出力される信号は逆相である、巻線Ｎ２側には出力されない。つまり住戸側２線４線変換部６１での回り込み信号Ｙがほとんど無くなるのである。このことから住戸側２線４線変換部６１が回り込み信号を抑圧する住戸側エコーキャンセラが不用となる。
【００４１】
尚その他の構成は、実施形態２と同じであるので、図４に示す本実施形態において、図３に示される回路要素と同じ機能を持つものには同じ番号、記号を付し説明は省略する。制御部７０の代わりに実施形態１の制御部６５を用いても良い。
（実施形態４）
図６は本実施形態の集合住宅用通話中継増幅装置６を示す概略構成図で、図７はその接続形態を示す概略図である。
【００４２】
本実施形態は、実施形態２の集合住宅用通話中継増幅装置６において、増幅器６９ｂの代わりに可変増幅器６９ｂ１を用いた点に特徴がある。つまり通話線４ｂを介して通話している端末が拡声通話端末であるロビーインターホン１なのかハンドセット通話端末である警報監視盤２であるかによって、住戸インターホン３からの送話信号のレベルを、可変増幅器６９ｂ１で変化させるもので、通話路スイッチ６６とロビー側２線４線変換部６２との間の直流電圧値をレベル検出制御部７１にて検出し、つまり通話線４ｂの両端の直流電圧値を検出し、その検出する直流電圧値により通話端末が警報監視盤２かロビーインターホン１なのかを判別して、警報監視盤２の場合には、可変増幅器６９ｂ１を制御してロビーインターホン１の場合に比べて約１４ｄＢ程度送話信号のレベルを低減させるのである。
【００４３】
尚その他の構成は、実施形態２と同じであるので、図６に示す本実施形態において、図３に示される回路要素と同じ機能を持つものには同じ番号、記号を付し説明は省略する。制御部７０の代わりに実施形態１の制御部６５を用いても良い。また実施形態３に適用しても良い。
（実施形態５）
図８は本実施形態の集合住宅用通話中継増幅装置６を示す概略構成図で、図９はその接続形態を示す概略図である。
【００４４】
本実施形態は、図示するように実施形態１の集合住宅用通話中継増幅装置６において、住戸側２線４線変換部６１の住戸インターホン３側からみた直流及び交流インピーダンスをロビーインターホン１（若しくは警報監視盤２）と同等とし、上記ロビー側２線４線変換部６２のロビーインターホン１（若しくは警報監視盤２）側から見た直流及び交流インピーダンスを接続される住戸インターホン３と同等にしたものである。
【００４５】
従って図９に示すように本実施形態の集合住宅用通話中継増幅装置６を多段に接続する構成としても接続する順序によって回路を変更する必要がなく、同じ回路を使用することができるのである。
【００４６】
その他の構成は、実施形態１と同じであるので、図８に示す本実施形態において、図１に示される回路要素と同じ機能を持つものには同じ番号、記号を付し説明は省略する。
【００４７】
尚本実施形態の２線４線変換部６１，６２を実施形態２乃至４に用いても勿論良く、例えば、上記実施形態３の構成で通話信号のレベルを変更する場合にも、図９に示すような多段接続した場合、隣接する集合住宅用通話中継増幅装置６間ではレベルが変更されず、最終段の集合住宅用通話中継増幅装置６にて相手端末に対応したレベル変更が行われるのである。
（実施形態６）
図１０は本実施形態の集合住宅用通話中継増幅装置６を示す概略構成図である。
【００４８】
本実施形態では、実施形態２の集合住宅用通話中継増幅装置６において、各住戸インターホン３からの送話信号のレベルを変更できるように増幅器６９ｂの代わりに入出力間に接続する抵抗Ｒ１…をレベル変更スイッチＳＷで切り換えて利得を変化させることができる増幅器６９ｅを設けた点に特徴があり、施工時に通話信号（送話信号）レベルの小さい住戸インターホン群の部分の通話信号（送話信号）レベルを上げることができるのである。
【００４９】
尚本実施形で用いたレベル変更スイッチＳＷ付き増幅器６９ｅを、実施形態１、実施形態３、実施形態５の増幅器６９ｂと置き換えても良い。
（実施形態７）
図１４は本実施形態の集合住宅用通話中継増幅装置６を示す概略構成図である。
【００５０】
本実施形態の集合住宅用通話中継増幅装置６は、電源が供給されていないときに切り換えスイッチ８１、及び８２の接点がともにｂ接点側になるようなスイッチ（例えば電源通電時に励磁されて接点をａ接点に、停電時にｂ接点に復帰させるようなリレーの接点）を設けることで、メンテナンス時、緊急時等、何らかの理由により本集合住宅用通話中継増幅装置６に電源が供給されなくなっても住戸インターホン３とロビーインターホン１（若しくは警報監視盤２）との間の通話路だけは確保することができるようにしたものである。
【００５１】
尚本実施形態の他の構成は、実施形態２と同じであるので、図１１に示す本実施形態において、図３に示される回路要素と同じ機能を持つものには同じ番号、記号を付し説明は省略する。
【００５２】
勿論本実施形態の切り換えスイッチ８１，８２を設けた構成は、実施形態１、実施形態３乃至６の構成及び後述する実施形態８乃至１０に適用しても良い。
（実施形態８）
図１２は本実施形態の集合住宅用通話中継増幅装置６を示す概略構成図である。
【００５３】
本実施形態では、実施形態３の集合住宅用通話中継増幅装置６において、住戸インターホン３がバックトーンＢＴを鳴動させるときに通話線４ａに重畳させる直流電圧を検出して通話路スイッチ６６を閉じるように制御する制御部７０ｂを設けることで、ロビーインターホン１（若しくは警報監視盤２）側へバックトーンＢＴ信号を流すことができ、しかも通話開始前にロビー側エコーキャンセラ６４を動作させて収束させ安定させることができるのである。
【００５４】
本実施形態の他の構成は、実施形態３と同じであるので、図１１に示す本実施形態において、図４に示される回路要素と同じ機能を持つものには同じ番号、記号を付し説明は省略する。
【００５５】
勿論本実施形態の制御部７０ｂを、他の実施形態の制御部６５や７０に代えて用いても良い。
（実施形態９）
図１３は、本実施形態の集合住宅用通話中継増幅装置６を示す概略構成図である。
【００５６】
本実施形態は、実施形態２の集合住宅用通話中継増幅装置６において、増幅器６９ａ、６９ｃの代わりに、自動音声レベル制御部６９０ａ及び６９０ｃ及び自動音声レベル制御部６９０ａ，６９０ｃからの検出信号により増幅率を可変できる増幅器６９ａ１，６９ｃ１を設けた点に特徴がある。
【００５７】
本実施形態の他の構成は、実施形態２と同じであるので、図１３に示す本実施形態において、図３に示される回路要素と同じ機能を持つものには同じ番号、記号を付し説明は省略する。
【００５８】
而して住戸インターホン３側からの通話信号の音声レベルとロビーインターホン１（若しくは警報監視盤２）からの音声レベルを音声レベル検出部６９０ａ，６９０ｃで検出し、その検出レベルに応じて、増幅器６９ａ１，６９ｃ１の増幅率を変化させる。つまり音声レベルが大きすぎる場合、小さすぎる場合であっても通話相手に対して適正な受聴レベルに自動的に調整することができるのである。
【００５９】
検出レベルに応じて増幅率を変化させる増幅器は場合によっては、増幅器６９ｂ、６９ｄであっても問題はない。
【００６０】
尚本実施形態の構成を、実施形態１，実施形態３〜８に適用しても勿論良い。（実施形態１０）
図１４は、本実施形態の集合住宅用通話中継増幅装置６を示す概略構成図である。
【００６１】
本実施形態は、両エコーキャンセラ６３，６４の間に音声スイッチ１００を設けた点に特徴がある。音声スイッチ１００は住戸側エコーキャンセラ６３からロビー側エコーキャンセラ６４へ向かう通話路に挿入損失部１０１ａを、逆にロビー側エコーキャンセラ６４から住戸側エコーキャンセラ６３へ向かう通話路に挿入損失部１０１ａを夫々挿入し、挿入損失部１０１ａ，１０１ｂの入出力のレベルをレベル検出／損失制御部１０２で判別し、各挿入損失部１０１ａ，１０１ｂを制御するようになっている。
【００６２】
本実施形態の他の構成は、実施形態２と同じであるので、図１３に示す本実施形態において、図３に示される回路要素と同じ機能を持つものには同じ番号、記号を付し説明は省略する。勿論本実施形態の構成を実施形態１，３〜９に適用しても良い。
【００６３】
而して、本実施形態では、住戸インターホン３からの送話信号の音声レベル、ロビーインターホン１（若しくは警報監視盤２）からの送話信号の音声レベルに応じて挿入損失部１０１ａ，１０１ｂを制御し通話路に適正な損失を挿入することにより、音声レベルを低下させる。
【００６４】
これにより本実施形態ではエコーキャンセラ６３，６４の処理負担を軽減することができ、軽減された処理能力を使用してエコーキャンセラ６３，６４に他の処理を行わせることが可能となる。
【００６５】
【発明の効果】
請求項１の発明は、集合住宅の共同玄関に設置される通話端末であるロビーインターホン、若しくは管理人室等に設置され、通話や通話制御の機能を持つ警報監視盤と、各住戸に設置される通話端末である複数の住戸インターホンとが夫々２線の通話線にて接続される集合住宅用通話システムや、通話及び通話制御機能を持つロビーインターホンと、複数の住戸インターホンとが夫々２線の通話線にて接続されるような集合住宅用通話システムに用いられるものであって、ロビーインターホン若しくは警報監視盤と各住戸インターホンとの間の２線の通話線の途中に設置され、ロビーインターホン若しくは警報監視盤側の２線の通話線に接続され、該２線の通話線を、住戸インターホン側からの送話信号を取り込む第１の入力２線と住戸インターホン側へロビーインターホン若しくは警報監視盤側の通話信号を送話信号として住戸インターホン側へ送り出す第１の出力２線との４線に変換する第１の２線４線変換部と、住戸インターホン側の２線の通話線に接続され、該２線の通話線を、住戸インターホン側の通話信号を送話信号としてロビーインターホン若しくは警報監視盤側へ送り出す第２の出力２線と上記第１の出力２線に接続されロビーインターホン若しくは警報監視盤側からの上記送話信号を取り込む第２の入力２線の４線に変換し、上記第２の出力２線を上記第１の入力２線に、上記第２の入力２線を上記第１の出力２線に接続する第２の２線４線変換部と、上記第１の出力２線と上記第２の入力２線との間及び上記第２の出力２線と上記第１の入力２との間に夫々各別に挿入される増幅器と、上記第１の２線４線変換部で発生する２線部インピーダンスの不整合による回り込み信号を抑圧する第１のエコーキャンセラと、上記第２の２線４選変換部で発生する２線部インピーダンス不整合による回り込み信号を抑圧する第２のエコーキャンセラと、住戸側インターホンとロビーインターホン若しくは警報監視盤との間の通話路の開閉を行う制御部とを備え、ロビーインターホン若しくは警報監視盤と各住戸インターホンとの間の通話信号を中継するので、長距離化した通話線を途中で切断し、本通話中継増幅装置で終端することで、各住戸インターホンからみたロビーインターホン側若しくは警報監視盤側のインピーダンスを増加させることになり、各住戸インターホンの２線４線変換部の回り込みを減少させてハウリングの発生を抑え、また通話信号レベルの低下を防止して音量の低下を防ぐことができるものであって、各機器毎に対応する必要がないためシステム全体として低コスト化が図れるという効果がある。
【００６６】
請求項２の発明は、請求項１の発明において、上記制御部として、通話時に住戸インターホンが通話線間に印加する直流電圧を、当該住戸インターホン側の２線の通話線から検出してロビーインターホン若しくは警報監視盤側の通話線の通話路の開閉を行う制御部を設けたので、外部からの通話路制御信号線が不用となり、省配線、省施工となり、しかも本通話中継増幅装置自体に制御用の端末アドレスのようなものを設定することも不用となるため、任意の通話線間に設置することができるという効果がある。
【００６７】
請求項３の発明は、集合住宅の共同玄関に設置される通話端末であるロビーインターホン、若しくは管理人室等に設置され、通話や通話制御の機能を持つ警報監視盤と、各住戸に設置される通話端末である複数の住戸インターホンとが夫々２線の通話線にて接続される集合住宅用通話システムや、通話及び通話制御機能を持つロビーインターホンと、複数の住戸インターホンとが夫々２線の通話線にて接続されるような集合住宅用通話システムに用いられるものであって、ロビーインターホン若しくは警報監視盤と各住戸インターホンとの間の２線の通話線の途中に設置され、ロビーインターホン若しくは警報監視盤側の２線の通話線に接続され、該２線の通話線を、住戸インターホン側からの送話信号を取り込む第１の入力２線と住戸インターホン側へロビーインターホン若しくは警報監視盤側の通話信号を送話信号として住戸インターホン側へ送り出す第１の出力２線との４線に変換する第１の２線４線変換部と、センタタップ付きの巻線とセンタタップ無しの巻線を有するトランスのセンタタップ無しの巻線の両端を上記第１の入力２線に接続し、センタタップ付きの巻線を、住戸インターホン側から見た時のインピーダンスに合わせたインピーダンス素子を介して住戸インターホン側の通話線に接続し、センタタップに上記第１の２線出力を接続する第２の２線４線変換部と、上記第１の出力２線と上記第２の入力２線との間及び上記第２の出力２線と上記第１の入力２との間に夫々各別に挿入される増幅器と、上記第１の２線４線変換部で発生する２線部インピーダンスの不整合による回り込を抑圧するエコーキャンセラと、住戸側インターホンとロビーインターホン若しくは警報監視盤との間の通話路の開閉を行う制御部とを備え、ロビーインターホン若しくは警報監視盤と各住戸インターホンとの間の通話信号を中継するので、請求項１の発明と同じ効果が得られる上に、更に第２の２線４線変換部で２線部インピーダンスの不整合による回り込み信号を抑圧することができ、そのため住戸インターホン側のエコーキャンセラが不用となり、結果回路規模を縮小することができて実装面積の削減が図れるとともに、部品コストの低減が図れるという効果がある。
【００６８】
請求項４の発明は、請求項１乃至３の何れかの発明において、請求項ロビーインターホン若しくは警報監視盤側の２線の通話線間の直流電圧値を検出し、接続される住戸インターホンからロビーインターホン若しくは警報監視盤への送話信号レベルを制御するレベル検出制御部を設けたので、拡声通話となるロビーインターホンやハンドセット通話となる警報監視盤に対応して自動的にへの通話信号レベルを自動的に調整することができ、その結果通話端末ごとに通話相手の受聴レベルを最適化することができるという効果がある。
【００６９】
請求項５の発明は、請求項１乃至４の何れかの発明において、上記第２の２線４線変換部の住戸インターホン側からみた直流及び交流インピーダンスをロビーインターホン若しくは警報監視盤と同等とし、上記第１の２線４線変換部のロビーインターホン若しくは警報監視盤側から見た直流及び交流インピーダンスを接続される住戸インターホンと同等にしたので、多段に接続する場合にも接続順序による回路変更の必要がなく、全く同じ回路を多段にすることができ、設計、製造でのコストを低減することができるという効果がある。。
【００７０】
請求項６の発明は、請求項１乃至３及び５の何れかの発明において、接続される住戸インターホンからロビーインターホン若しくは警報監視盤への送話信号のレベルを変更するスイッチを具備したので、各住戸インターホンからロビーインターホン若しくは警報監視盤への通話のレベルが低い場合に、このスイッチによりレベルを大きくすることで、快適な通話音量を得ることができるという効果がある。
【００７１】
請求項７の発明は、請求項１乃至６の発明において、上記制御部として、バックトーン信号の送出時に当該住戸インターホンが通話線間に印加する直流電圧を当該通話線から検出して通話路の開閉を行う制御部を設け、バックトーン信号により第１のエコーキャンセラを収束させるようにしたので、通話が開始される前にエコーキャンセラを安定動作させることができ、通話開始から快適な通話をすることが可能となるという効果がある。
【００７２】
請求項８の発明は、請求項１乃至３，５，７の何れかの発明において、住戸インターホン側からの送話信号の音声レベルを検出し、ロビーインターホン若しくは警報監視盤への送話信号の音声レベルを所定レベルに調整する自動音声レベル制御部及び増幅器を設けるとともに、ロビーインターホン若しくは警報監視盤側からの送話信号の音声レベルを検出し、住戸インターホンへの送話信号の音声レベルを所定レベルに調整する自動音声レベル制御部及び増幅器を設けたので、音声レベルが大きすぎる場合や、小さすぎる場合、通話相手に対して適正な受聴レベルに音声レベルを自動的に調整することができるという効果がある。
【００７３】
請求項９の発明は、請求項１、２、４乃至８の何れかの発明において、第１のエコーキャンセラと第２のエコーキャンセラとの間に音声のレベルに応じた適正な挿入損を挿入する音声スイッチを設けたので、ロビーインターホン若しくは警報監視盤から、及び住戸インターホンからの音声のレベルに応じて通話路に適正なロスを挿入することができ、その結果エコーキャンセラの処理負担を軽減でき、安価なシステムとすることや軽減された処理能力を使用して、他の処理を行わせることもでき、多機能な中継器とすることも可能となるという効果がある。
【００７４】
請求項１０の発明は、請求項１乃至９の何れかの発明において、第１，２の２線４線変換部部に電源が供給されていないときに住戸インターホンからの通話線とロビーインターホン若しくは警報監視盤からの通話線とを直接接続するスイッチを備えたので、点検整備、事故、災害などにより本通話中継増幅装置への電源が断たれても通話路を確保することができ、多少の音量の低下、多少のハウリング等が緊急時の通話が可能となるという効果がある。
【図面の簡単な説明】
【図１】本発明の実施形態１を示す概略構成図である。
【図２】同上が設置される状態を示した概略図である。
【図３】本発明の実施形態２を示す概略構成図である。
【図４】本発明の実施形態３を示す概略構成図である。
【図５】同上の住戸側２線４線変換部の動作説明図である。
【図６】本発明の実施形態４を示す概略構成図である。
【図７】同上の接続形態を説明する説明図である。
【図８】本発明の実施形態５を示す概略構成図である。
【図９】同上を多段に接続した場合を示す接続概略図である。
【図１０】本発明の実施形態６を示す概略構成図である。
【図１１】本発明の実施形態７を示す概略構成図である。
【図１２】本発明の実施形態８を示す概略構成図である。
【図１３】本発明の実施形態９を示す概略構成図である。
【図１４】本発明の実施形態１０を示す概略構成図である。
【図１５】集合住宅通話システムの概略構成の一例である。
【図１６】従来システムでの問題点を説明する説明図である。
【図１７】従来システムでの問題点を説明する説明図である。
【符号の説明】
１    ロビーインターホン
３    住戸インターホン
４ａ，４ｂ  通話線
６    集合住宅用通話中継増幅装置
６１  住戸側２線４線変換部
６２  ロビー側２線４線変換部
６３  住戸側エコーキャンセラ
６４  ロビー側エコーキャンセラ
６５  制御部
６６  通話路スイッチ
６７ａ，６７ｂ  Ａ／Ｄ変換器
６８ａ，６８ｂ  Ｄ／Ａ変換器
６９ａ〜６９ｃ  増幅器
Ｓ  通話制御信号
【図１】
0003661475.tif 000002
【図２】
0003661475.tif 000003
【図３】
0003661475.tif 000004
【図４】
0003661475.tif 000005
【図５】
0003661475.tif 000006
【図６】
0003661475.tif 000007
【図７】
0003661475.tif 000008
【図８】
0003661475.tif 000009
【図９】
0003661475.tif 000010
【図１０】
0003661475.tif 000011
【図１１】
0003661475.tif 000012
【図１２】
0003661475.tif 000013
【図１３】
0003661475.tif 000014
【図１４】
0003661475.tif 000015
【図１５】
0003661475.tif 000016
【図１６】
0003661475.tif 000017
【図１７】
0003661475.tif 000018